(57)【要約】【課題】従来のＶノッチ等の如く、その切込みから不用意に（裂けて）開封したり、手などに怪我を負うことがなく、かつノッチ屑などが混入したりすることのない安全で衛生的な易開封性包装袋の製造方法の提供にある。【解決手段】最内層がシーラント層２１で、表面基材２３とでなり、方形状の表裏２枚の側面シート１０の両側端縁シール部１２と、上端縁シール部１６と下端縁シール部１４のシーラント層面同士がシールされ、さらに下端縁のシーラント層２１面同士がシールされている四方シール袋において、前記両側端縁シール部１２の開封すべき所定の位置に、複数本の一の字が縦に千鳥足状に配列されている多数配列のノッチ３０が刻設されている易開封性包装袋１の製造方法としたものである。【選択図】図１
2010228817.tif 000002
【特許請求の範囲】
【請求項１】
少なくとも最内層がシーラント層でなり、方形状の複合フィルムを該シーラント層面を内面として折り畳み、折目以外の両側端縁をシールして、もしくは方形状の複合フィルムでなる表裏２枚の側面シートの両側端縁をシールして、該シールされた両側端シール部を介して複数の三方シール袋、もしくは四方シール袋、もしくは自立袋を複数面付けし、該面付けされた両側端シール部の略中央で断裁する前記各包装袋の製造方法において、前記両側端シール部の略中央の断裁予定線上の開封すべき所定の位置に、複数本の一の字が縦に所定のピッチで配列され、この両側で前記所定のピッチ間にくる千鳥足状に前記複数本より少なくとも１本少ない本数の一の字が縦に配列され、さらにそれらの内側に同様の一の字の配列が繰り返されている打抜き刃によって多数配列のノッチを刻設し、前記断裁予定線でスリットすることにより側端縁の延びる方向に、複数本の一の字が縦に所定のピッチで側端縁の端部に配列され、この内側で前記所定のピッチ間にくる千鳥足状に前記複数本より少なくとも１本少ない本数の一の字が縦に配列され、さらにその内側に同様の一の字の配列が繰り返されている多数配列のノッチが刻設されていることを特徴とする易開封性包装袋の製造方法。
【請求項２】
前記繰り返されている多数配列が、３段階から５段階であることを特徴とする請求項１記載の易開封性包装袋の製造方法。
【請求項３】
前記一の字の、縦に配列される本数は、中央で５本〜８本であることを特徴とする請求項１または２記載の易開封性包装袋の製造方法。
【請求項４】
前記一の字の横の長さが１〜１．５ｍｍであることを特徴とする請求項１乃至３何れか記載の易開封性包装袋の製造方法。
【請求項５】
前記多数配列のノッチの周辺近傍に、開封を促すための印刷が施されていることを特徴とする請求項１乃至４何れか記載の易開封性包装袋の製造方法。
【発明の詳細な説明】
【技術分野】
【０００１】
本発明は、易開封性包装袋の製造方法に関するものであり、さらに詳細には、三方シール袋や四方シール袋あるいは四方シールされた自立袋（スタンディングパウチ）の如き左右側端縁のシール部に易開封性のノッチが刻設されている易開封性包装袋の製造方法に関するものである。
【背景技術】
【０００２】
従来、三方シール袋や四方シール袋、あるいは四方シールされた自立袋（スタンディングパウチ）などを側端縁シール部から引き裂いて開封する際には、側端縁シール部の開封すべき所定の位置、例えば上端シール部より僅かに下の部分に相当する位置に刻設されたＶノッチ、Ｕノッチ、六角ノッチ、Ｉノッチなどを起点とし、その部分を指で摘んで横方向に引き裂く方法で行われている。
【先行技術文献】
【特許文献】
【０００３】
【特許文献１】特開２００４−３１４９８５号公報
【特許文献２】特開平１０−１１９９８４号公報
【特許文献３】登録実用新案第３０５８９７２号公報
【特許文献４】特開２００４−０３５０６０号公報
【発明の概要】
【発明が解決しようとする課題】
【０００４】
しかしながら、上記各種ノッチでは、これらノッチの切込み部から不用意に開封（裂ける）される危惧があり、さらにこの切込み部で手などに怪我をする懸念があり安全性に欠けるなどの問題点があった。さらにまた、製造中の上記各種ノッチの刻設で、そのノッチ屑による作業環境の汚染とともに、このノッチ屑が製品に混入したりする事故（特に食品類の包装袋では衛生性に欠けること）が発生することがあるので、異物混入検査において、上記包装袋が不良品となるなどの問題点があった。
【０００５】
本発明は、かかる従来技術の問題点を解決するものであり、その課題とするところは、従来のＶノッチやＵノッチなどの如く、その切込み部から不用意に（裂けて）開封したり、あるいはその切込み部によって手などに怪我を負ったりすることがなく、かつノッチ屑による作業環境の汚染や包装袋などが混入したりすることのない安全でかつ衛生的な易開封性包装袋の製造方法を提供することにある。
【課題を解決するための手段】
【０００６】
本発明に於いて上記課題を達成するために、まず請求項１の発明では、少なくとも最内層がシーラント層でなり、方形状の複合フィルムを該シーラント層面を内面として折り畳み、折目以外の両側端縁をシールして、もしくは方形状の複合フィルムでなる表裏２枚の側面シートの両側端縁をシールして、該シールされた両側端シール部を介して複数の三方シール袋、もしくは四方シール袋、もしくは自立袋を複数面付けし、該面付けされた両側端シール部の略中央で断裁する前記各包装袋の製造方法において、前記両側端シール部の略中央の断裁予定線上の開封すべき所定の位置に、複数本の一の字が縦に所定のピッチで配列され、この両側で前記所定のピッチ間にくる千鳥足状に前記複数本より少なくとも１本少ない本数の一の字が縦に配列され、さらにそれらの内側に同様の一の字の配列が繰り返されている打抜き刃によって多数配列のノッチを刻設し、前記断裁予定線でスリットすることにより側端縁の延びる方向に、複数本の一の字が縦に所定のピッチで側端縁の端部に配列され、この内側で前記所定のピッチ間にくる千鳥足状に前記複数本より少なくとも１本少ない本数の一の字が縦に配列され、さらにその内側に同様の一の字の配列が繰り返されている多数配列のノッチが刻設されていることを特徴とする易開封性包装袋の製造方法としたものである。
【０００７】
また、請求項２の発明では、前記繰り返されている多数配列が、３段階から５段階であることを特徴とする請求項１記載の易開封性包装袋の製造方法としたものである。
【０００８】
また、請求項３の発明では、前記一の字の、縦に配列される本数は、中央で５本〜８本であることを特徴とする請求項１または２記載の易開封性包装袋の製造方法としたものである。
【０００９】
さらにまた、請求項４の発明では、前記一の字の横の長さが１〜１．５ｍｍであることを特徴とする請求項１乃至３何れか記載の易開封性包装袋の製造方法としたものである。
【００１０】
さらにまた、請求項５の発明では、前記多数配列のノッチの周辺近傍に、開封を促すための印刷が施されていることを特徴とする請求項１乃至４何れか記載の易開封性包装袋の製造方法としたものである。
【発明の効果】
【００１１】
本発明は以上の構成であるから、下記に示す如き効果がある。
【００１２】
即ち、少なくとも最内層がシーラント層でなり、方形状の複合フィルムを該シーラント層面を内面として折り畳み、折目以外の両側端縁と、上端縁のシーラント層同士がシールされている三方シール袋、もしくは方形状の複合フィルムでなる表裏２枚の側面シートの両側端縁と、上端縁のシーラント層面同士がシールされ、さらに下端縁のシーラント層面同士がシールされている四方シール袋、もしくは方形状の複合フィルムでなる表裏２枚の側面シートの両側端縁と、上端縁のシーラント層面同士がシールされ、さらに下端縁のシーラント層面で、該側面シートと略同一構成でなる底面シートがシールされている自立袋において、前記シールされている両側端縁の開封すべき所定の位置に、複数本の一の字が縦に所定のピッチで配列され、この内側で前記所定のピッチ間にくるような千鳥足状に前記複数本より少なくとも１本少ない本数の一の字が縦に配列され、さらにその内側に同様の一の字の配列が繰り返されている多数配列のノッチが刻設されているので、従来のＶノッチ、Ｕノッチ、六角ノッチ、あるいはＩノッチなどのようにその切り込み部から不用意に裂けて開封したり、その切り込み部で怪我をしたりすることがなく、かつ製造中にノッチ屑が作業環境を汚染したり、あるいは製品（包装袋）に混入したりすることのない安全でかつ衛生性のある易開封性包装袋とすることができる。
【００１３】
また、前記多数配列のノッチの周辺近傍に、開封を促すための印刷が施されているので、通常肉眼では見え難い多数配列のノッチでも、容易にその存在を識別することができ、かつ前記多数配列のノッチは縦に幅が広いので指などで裂き（開封し）易く開封し易い易開封性包装袋とすることができる。
【００１４】
また、上記請求項１に係る発明によれば少なくとも最内層がシーラント層でなり、方形状の複合フィルムを該シーラント層面を内面として折り畳み、折目以外の両側端縁をシールして、もしくは方形状の複合フィルムでなる表裏２枚の側面シートの両側端縁をシールして、該シールされた両側端シール部を介して複数の三方シール袋、もしくは四方シール袋、もしくは自立袋を複数面付けし、該面付けされた両側端シール部の略中央で断裁する前記各包装袋の製造方法において、前記両側端シール部の略中央の断裁予定線上の開封すべき所定の位置に、複数本の一の字が縦に所定のピッチで配列され、この両側で前記所定のピッチ間にくる千鳥足状に前記複数本より少なくとも１本少ない本数の一の字が縦に配列され、さらにそれらの内側に同様の一の字の配列が繰り返されている打抜き刃によって多数配列のノッチを刻設し、前記断裁予定線でスリットすることにより側端縁の延びる方向に、複数本の一の字が縦に所定のピッチで側端縁の端部に配列され、この内側で前記所定のピッチ間にくる千鳥足状に前記複数本より少なくとも１本少ない本数の一の字が縦に配列され、さらにその内側に同様の一の字の配列が繰り返されている多数配列のノッチが刻設されていることを特徴とする易開封性包装袋の製造方法とすることによって、複数面
付けされた易開封性包装袋の両側端シール部に多数配列のノッチを効率よく刻設することができ、従来のＶノッチなどのようにその切り込み部から不用意に裂けて開封したり、その切り込み部で手などに怪我をしたりすることがなく、かつ製造中におけるノッチ屑が作業環境を汚染したり、製品（包装袋）に混入したりすることのない安全でかつ衛生性のある易開封性包装袋の製造方法とすることができる。
【００１５】
さらにまた、上記請求項５に係る発明によれば、前記多数配列のノッチの周辺近傍に、開封を促すための印刷を施すことによって、通常肉眼では見え難い多数配列のノッチでも、容易にその存在を識別することができ、かつ前記多数配列のノッチの幅が縦に広いので指などで裂き（開封し）易く、開封し易い易開封性包装袋の製造方法とすることができる。なお、この印刷は、包装袋の絵柄などと同時に施すことができるので、工程を増やすことがないものである。
【００１６】
従って本発明は、三方シール袋や四方シール袋あるいは四方がシールされた自立袋（スタンディングパウチ）の如き包装袋において、その左右側端縁のシール部に刻設されているノッチがより安全で開封し易い易開封性包装袋の効率のよいその製造方法として、優れた実用上の効果を発揮する。
【図面の簡単な説明】
【００１７】
【図１】本発明の易開封性包装袋の一実施の形態を示すもので、（ａ）は、その正面図であり、（ｂ）は、（ａ）のＢ−Ｂ面を表す断面図である。
【図２】本発明の易開封性包装袋を構成するノッチの一事例を示す拡大正面図である。
【図３】本発明の易開封性包装袋の他の一実施の形態を示す正面図である。
【図４】本発明の易開封性包装袋の他の一実施の形態を示す正面図である。
【図５】本発明の易開封性包装袋の製造方法の一事例を説明するための正面図である。
【図６】本発明の易開封性包装袋を構成する複合フィルムの他の事例を側断面で表した説明図である。
【図７】従来の易開封性包装袋を構成するノッチの形態を説明するもので、（ａ）は、Ｖノッチ、（ｂ）は、Ｕノッチ、（ａ）は、六角ノッチ、（ｂ）は、Ｉノッチを示す正面図である。
【発明を実施するための形態】
【００１８】
以下本発明を実施するための最良の形態を図面を用いて詳細に説明する。
【００１９】
図１は、本発明の易開封性包装袋の一事例を平面と側断面で表した説明図であり、図２は、本発明の易開封性包装袋を構成するノッチの拡大平面図であり、図３および図４は、本発明の易開封性包装袋の他の一事例を平面で表した説明図である。また、図５は、本発明の易開封性包装袋の製造方法の一事例を説明する平面図であり、図６は、本発明の易開封性包装袋を構成する側面シートの他の事例を示す側断面図である。
【００２０】
本発明の易開封性包装袋は、例えば図１（ａ）の平面図および図１（ａ）のＢ−Ｂ面を表す図１（ｂ）の側断面図に示すように、最内層がシーラント層（２１）でなり、表面基材層（２３）と接着剤層（２２）を介して積層されている方形状の複合フィルムでなる表裏２枚の側面シート（１０）の両側端縁のシーラント層（２１）面同士が熱シールされて左右側端縁シール部（１２を形成し、上端縁のシーラント層面同士が熱シールされて上端縁シール部（１６）を形成し、さらに下端縁のシーラント層面同士が熱シールされて下端縁シール部（１４）を形成している四方シール袋において、前記左右側端縁シール部（１２）の開封すべき位置、すなわち、上端縁シール部（１６）の僅か下の非シール部（１５）となる位置に、多数配列のノッチ（３０）が刻設されている易開封性包装袋（１）である。
【００２１】
上記多数配列のノッチ（３０）は、図１（ａ）に示す多数配列のノッチ（３０）の部分の拡大図として、図２の平面図に示すように、例えば左側縁シール部（１２）で、上端縁シール部（１６）の僅か下にある非シール部（１５）となる位置に、６本の所定の長さ（Ｙ）でなる一の字（３１）が縦に所定のピッチ（Ｐ）で配列され、この内側でこの所定のピッチ（Ｐ）間にくるように千鳥足状の５本の一の字（３１）が縦に配列され、さらにその内側で所定のピッチ（Ｐ）間にくるように千鳥足状の４本の一の字（３１）が縦に配列されているものである。
【００２２】
上記多数配列のノッチ（３０）を構成する一の字（３１）の所定のピッチ（Ｐ）は、袋のサイズなどによっても異なり、特に限定するものではないが、例えば１５０ｍｍ×２３０ｍｍの袋では１ｍｍ程度で、その一の字（３１）の横の長さ（Ｙ）は、１〜１．５ｍｍ程度とするのが比較的開封し易いものである。
【００２３】
また、上記多数配列のノッチ（３０）を構成する一の字（３１）の横の配列は、特に限定するものではないが上記事例の３段階から５段階程度までが好ましく、縦に配列される本数は、中央で５本〜８本程度までが好ましい。
【００２４】
なお、上記四方シール袋の場合の多数配列のノッチ（３０）が刻設される位置は、特に図示しないが、左右側端縁シール部（１２）上で、下端縁シール部（１６）の僅か上の非シール部（１５）となる位置とすることもできる。
【００２５】
また、本発明では、例えば図３の平面図に示すように、最内層がシーラント層（図示せず）でなり、表面基材層（２３）と接着剤層（図示せず）を介して積層されている方形状の複合フィルムを該シーラント層面を内面として折り畳み、この折目（１８）以外の左右側端縁と、上端縁のシーラント層面同士が熱シールされて左右側端縁シール部（１２）と上端縁シール部（１６）を形成している三方シール袋においても適用することができ、すなわち前記左右側端縁シール部（１２）の開封すべき位置、すなわち上端縁シール部（１６）の僅か下の非シール部（１５）となる位置に、多数配列のノッチ（３０）が刻設されている易開封性包装袋（１）とすることもできる。
【００２６】
なお、上記三方シール袋の場合の多数配列のノッチ（３０）が刻設される位置は、特に図示しないが、左右側端縁シール部（１２）上で、折目（１８）の僅か上の非シール部（１５）となる位置とすることもできる。
【００２７】
さらにまた、本発明では、例えば図４の平面図に示すように、最内層がシーラント層（図示せず）でなり、表面基材層（２３）と接着剤層（図示せず）を介して積層されている方形状の複合フィルムでなる表裏２枚の側面シート（１０）の左右側端縁のシーラント層面同士が熱シールされて左右側端縁シール部（１２）を形成し、上端縁のシーラント層面で、前記側面シート（１０）と同一構成の底面シート（１１）のシーラント層が熱シールされて下端縁シール部（１４）を形成している四方シールタイプの自立袋（スタンディングパウチ）において、前記の左右側端縁シール部（１２）の開封すべき位置、すなわち上端縁シール部（１６）の僅か下の非シール部（１５）となる位置に、多数配列のノッチ（３０）が刻設されている易開封性包装袋（１）とすることもできる。
【００２８】
以上のように、シールによる各タイプの包装袋の左右端縁シール部（１２）の開封すべき位置に、多数配列のノッチ（３０）を刻設した易開封性包装袋（１）とすることによって、例えば、図７（ａ）、（ｂ）、（ｃ）および（ｄ）に示すような従来のＶノッチ（Ｖ）、Ｕノッチ（Ｕ）、六角ノッチ（Ｒ）、あるいはＩノッチ（Ｉ）などのように、この切り込み部から不用意に裂けたり、この切り込み部で怪我をしたりすることがなく、かつ製造中におけるノッチ屑が作業環境を汚染したり、このノッチ屑が製品に混入したりすることのない安全でかつ衛生性のある易開封性包装袋（１）とすることができる。
【００２９】
また、上記請求項５に係る発明では、例えば図４の平面図に示すように、側面シート（１０）の左右側端縁がシールされて左右側端縁シール部（１２）を形成している自立袋の左右側端縁シール部（１２）に刻設されている多数配列のノッチ（３０）の周辺に、開封を促すための印刷、例えば、「ＯＰＥＮ  手で簡単に開けらます」といった印刷が施されている易開封性包装袋（１）とするものである。
【００３０】
このように、開封を促すための絵柄等を含めた印刷を施すことによって、通常目視では見難い多数配列のノッチ（３０）でも、開封位置が容易に識別でき、さらにこの多数配列のノッチ（３０）が縦に幅が広いので手で摘み易く容易に開封できる易開封性包装袋（１）とすることができる。
【００３１】
また、上記請求項１に係る発明では、例えば、図５の平面図に示すように、最内層がシーラント層（図示せず）でなり、方形状の複合フィルムでなる表裏２枚の側面シート（１０）の両側端縁をシールし、このシールされた両側端縁シール部（１２）を介して複数の四方シール袋を多面付けし、該面付けされた両側端縁シール部（１２）の略中央の断裁予定線（３５）でスリットする易開封性包装袋の製造方法であって、前記両側端縁シール部（１２）の略中央の断裁予定線（３５）上の開封すべき所定の位置に、多数配列のノッチ（３０）と略同形状の打抜き刃によって、多数配列のノッチ（３０）を刻設し、次いで前記断裁予定線（３５）にしたがってスリットする易開封性包装袋（１）の製造方法とするものである。
【００３２】
このように、多面付けされた易開封性包装袋（１）の両側端縁シール部（１２）の略中央の断裁予定線（３５）上における開封すべき所定の位置に、多数配列のノッチ（３０）と略同形状の打抜き刃によって、一度の刻設で多数配列のノッチ（３０）を得ることができる効率のよい製造方法で、かつノッチ屑のでない衛生性にも優れる易開封性包装袋の製造方法とすることができる。
【００３３】
以下に、上記易開封性包装袋（１）を構成する複合フィルムの材料やその積層法などについて説明する。
【００３４】
すなわち、上記本発明の易開封性包装袋（１）を構成する複合フィルムとしては、その積層される層を限定するものではないが、例えば、図１（ｂ）の断面図に示すように、最内層が熱融着性のあるシーラント層（２１）で、表面の引き裂き性を有する表面基材（２３）とを接着剤層（２２）を介して積層されている側面シート（１０）でなっていて、この表面基材（２３）としては、例えば２軸延伸ポリプロピレン（ＯＰＰ）、２軸延伸ポリエチレンテレフタレート（ＰＥＴ）等フィルムが挙げられ使用することができる。
【００３５】
また、上記シーラント層（２１）としては、例えば無延伸ポリプロピレン（ＣＰＰ）、ポリエチレン（ＰＥ）、アルミニウム蒸着無延伸ポリプロピレン（ＶＭＣＰＰ）、アルミニウム蒸着ポリエチレン（ＶＭＰＥ）等が挙げられ使用することができる。
【００３６】
また、上記シーラント層（２１）と表面基材（２３）とを接着せしめる接着剤層（２２）としては、ポリウレタン系接着剤、押出しポリエチレン等が挙げられ使用することができる。
【００３７】
具体的な積層構成としては、表面からＯＰＰ／接着剤層／ＣＰＰ、ＰＥＴ／接着剤層／ＣＰＰ、ＯＰＰ／接着剤層／ＶＭＣＰＰ、ＰＥＴ／接着剤層／ＶＭＣＰＰ等複合フィルムが最も一般的に使用される。
【００３８】
上記複合フィルムの積層方法としては、ウレタン系の接着剤を使用してドライラミネーションにより行うのが好ましく、シーラント層（２１）として、上記のアルミニウム蒸着無延伸ポリプロピレン（ＶＭＣＰＰ）等フィルムを使用することによりガスバリア性の優れた易開封性包装袋（１）とすることもできる。
【００３９】
また、透明性のあるガスバリア性が要求される側面シート（１０）としての複合フィルムは、例えば図６の側断面図に示すように、表面基材（２３）とシーラント層（２１）との間に接着剤層（２２）を介して透明ガスバリア層（２４）が積層されているものとすることもでき、その透明ガスバリア層（２４）は、例えば厚み１２μｍのポリエチレンテレフタレートフィルム（２４ｂ）に酸化アルミニウム（Ａｌ２Ｏ３）や酸化珪素（ＳｉＯ２）などの無機酸化物の蒸着層（２４ａ）が施されたものとすることもできる。
【符号の説明】
【００４０】
１‥‥易開封性包装袋
１０‥‥側面シート
１１‥‥底面シート
１２‥‥側端縁シール部
１４‥‥下端縁シール部
１５‥‥非シール部
１６‥‥上端縁シール部
１８‥‥折り目
２１‥‥シーラント層
２２‥‥接着剤層
２３‥‥表面基材
２４‥‥透明ガスバリア層
２４ａ‥‥無機酸化物の蒸着層
２４ｂ‥‥ポリエチレンテレフタレートフィルム
３０‥‥多数配列のノッチ
３１‥‥一の字
３５‥‥断裁予定線
Ｉ‥‥Ｉノッチ
Ｒ‥‥六角ノッチ
Ｕ‥‥Ｕノッチ
Ｖ‥‥Ｖノッチ
Ｐ‥‥一の字のピッチ
Ｙ‥‥一の字の長さ
【図１】
2010228817.tif 000003
【図２】
2010228817.tif 000004
【図３】
2010228817.tif 000005
【図４】
2010228817.tif 000006
【図５】
2010228817.tif 000007
【図６】
2010228817.tif 000008
【図７】
2010228817.tif 000009